(57)【要約】通信システム（１００）は、マルチメディア・ブロードキャスト・マルチキャスト・サービス（ＭＢＭＳ）サービス用通信システムがサービス提供するユーザ端末（１０２〜１０４）数に基づき、ＭＢＭＳデータ伝達のためにポイントツーポイント通信を確立させるか又はポイントツーマルチポイント通信を確立させるかを判定する。システムはユーザ端末に対する制御メッセージによりアクセス確率係数をブロードキャストする（１５４）。集計されたＭＢＭＳユーザ数が多い場合（１５８）、ポイントツーマルチポイント・ブロードキャスト（１６０）が選択される。集計されたユーザ端末数が比較的少ない場合、ポイントツーマルチポイント接続数に対するポイントツーポイント接続数の集計されたユーザ数に対する比により、アクセス確率係数が修正される（１７４）。システム・ダイバーシチ利得を得るためＵＥが複数の基地局の集計手続に参加することが必要な場合もある。
2007504721.tif 000002
【特許請求の範囲】
【請求項１】
通信システムのマルチメディア・ブロードキャスト・マルチキャスト・サービス（ＭＢＭＳ）のサービスにおけるアクセス確率の適応方法であって、
ＭＢＭＳサービスに加入している移動局の数量を判定する工程と、
初期確率係数を設定する工程と、
初期アクセス確率係数を含む制御メッセージをブロードキャストする工程と、
１つ以上の移動局から制御メッセージに対する応答を受信する工程と、
移動局から受信した応答の数が０であるか否かを判定する工程と、
受信した応答の数が０でない場合、受信した応答の数に新たなアクセス確率係数を適応させる工程と、
新たなアクセス確率係数は、ポイントツーポイント接続の数をポイントツーマルチポイント接続の数で除した比を、初期アクセス確率係数に乗じた値に等しいこととからなる方法。
【請求項２】
受信した応答の数が０である場合、新たなアクセス確率係数を１に等しく設定する工程を含む請求項１に記載の方法。
【請求項３】
受信した応答の数が０に等しくない場合、新たなアクセス確率係数は閾値より大きいか否かを判定する工程を含む請求項２に記載の方法。
【請求項４】
新たなアクセス確率係数が閾値より大きい場合、新たなアクセス確率係数を１に等しく設定する工程を含む請求項３に記載の方法。
【請求項５】
新たなアクセス確率係数は１より大きいか否かを判定する工程を含む請求項４に記載の方法。
【請求項６】
通信システムのマルチメディア・ブロードキャスト・マルチキャスト・サービス（ＭＢＭＳ）のサービスにおけるアクセス確率の適応方法であって、
ＭＢＭＳサービスに加入している移動局の数量を判定する工程と、
初期確率係数を設定する工程と、
初期アクセス確率係数を含む制御メッセージをブロードキャストする工程と、
１つ以上の移動局から制御メッセージに対する応答を受信する工程と、
移動局から受信した応答の数が０であるか否かを判定する工程と、
受信した応答の数が０でない場合、受信した応答の数に新たなアクセス確率係数を適応させる工程と、
新たなアクセス確率係数は、ポイントツーポイント接続の数をポイントツーマルチポイント接続の数で除した比を、初期アクセス確率係数に乗じた値に等しいことと、
移動局と通信システムとの間に制御接続が存在するか否かを移動局が判定する工程とからなる方法。
【請求項７】
制御接続が存在しない場合、０〜１の乱数を選択する工程を含む請求項６に記載の方法。
【請求項８】
選択した乱数が新たなアクセス確率係数より小さいか否かを判定する工程を含む請求項７に記載の方法。
【請求項９】
選択した乱数が新たなアクセス確率係数より小さい場合、移動局が通信システムとの接続を確立させる工程を含む請求項８に記載の方法。
【請求項１０】
受信した応答の数が０である場合、新たなアクセス確率係数を１に等しく設定する工程を含む請求項６に記載の方法。
【発明の詳細な説明】
【技術分野】
【０００１】
本発明はパケット・データ通信システムに関する。より詳細には、本発明は、パケット・データ通信システムにおけるマルチメディア・ブロードキャスト・マルチキャスト・サービスに対するアクセスに関する。
【背景技術】
【０００２】
通信システムにおけるグループ呼出の通信効率を最大化する方法が必要である。マルチメディア・ブロードキャスト・マルチキャスト・サービス（ＭＢＭＳ）のサービスでは、通常、インターネット・プロトコル（ＩＰ）データ・パケットの形式で、１つ以上のユーザ端末ＵＥに対し、ＭＢＭＳデータのマルチキャスト及びユニキャストが行われる。パケット・データ通信システムのエア・インタフェース資源が浪費されないことを保証するには、最初にシステムが、ＭＢＭＳデータを提供するセル内の受信者の数、即ち、加入ユーザ端末（ＵＥ）の数を推定する必要がある。推定した受信者数に基づき、システムは、セルにおいてポイントツーマルチポイント（ＰＴＭ）通信チャネルを確立させるか、又は各受信者に対しポイントツーポイント（ＰＴＰ）通信チャネルを確立させるかを判定する。また、システムは、無線ベアラを最適化する手法も判定する。一般に、推定したセル内受信者数がオペレータの規定した閾値を超えるとき、システムはセルにおいてＰＴＭチャネルを確立させる。推定したセル内受信者数がオペレータの規定した閾値未満であるとき、システムはセル内の各加入ＭＳに対しＰＴＰチャネルを確立させる。さらに、一部の隣接セルにはＰＴＭ伝送のために充分なＭＢＭＳ  ＵＥが存在しない場合にも、ダイバーシチの利点を活用するため、システムに対するダイバーシチの利点を得るようにＰＴＭ伝送が選択される場合がある。
【０００３】
通常、システムは、その時点においてネットワークに接続されており、かつ、ＭＢＭＳサービスに加入しているＵＥの数に基づき、受信者数を推定する。この推定に基づき、システムはセルにおいてＰＴＭ通信チャネルを確立させるか、又は各ＵＥに対しＰＴＰ通信チャネルを確立させるかを判定する。しかしながら、そのような判定においては、ＲＡＮによりサービス提供されＭＢＭＳサービスに加入しているアイドル・モードのＭＳ及びＵＲＡ＿ＰＣＨモードのＵＥが評価されることはない。アイドル・モードのユーザ及びＵＲＡ＿ＰＣＨモードのユーザも集計することが必要である。続いて、システムはセル内の全てのＵＥに対しＭＢＭＳ通知をブロードキャストする。ＭＢＭＳ通知の受信に応答して、ＭＢＭＳサービスに加入しているセル内の各ＵＥは接続要求を伝達し得る。加入ＵＥの各々から接続要求を受信すると、システムはＰＴＭ通信チャネルを確立させるか、又は各応答ＵＥとのＰＴＰ通信チャネルを確立させるかを決定する。
【０００４】
ＭＢＭＳ通知に応答して生成される接続要求の数を制限するため、ＭＢＭＳ通知と共にアクセス確率係数をブロードキャストすることが提案されている。しかしながら、通常、システムはＭＢＭＳサービスに加入しているセル内のアイドル・モードＵＥの数を認識していないため、問題が生じる。アクセス確率係数が高い値に設定されており、かつ、ＭＢＭＳサービスに加入しているアイドル・モードＵＥの数も多いとき、ＭＢＭＳ通知に応答して生成される接続要求の数によりアクセス・チャネルが過負荷となり得る。また、アクセス確率係数が低い値に設定されており、かつ、ＭＢＭＳサービスに加入しているアイドル・モードＭＳの数が少ないとき、集計要求に応答してシステムが受信する接続要求の数は、ＰＴＭチャネルの確立を呼び出すには充分でない場合がある。
【０００５】
アイドル・モードのＵＥを集計する処理により、無線アクセス・チャネル（ＲＡＣＨ）に実質的に負荷が与えられる場合がある。加えて、ポイントツーポイントかポイントツーマルチポイントかをシステムが決定するために充分な数のＵＥを集計するには、時間を要する。
【０００６】
さらに、ダイバーシチによりＭＢＭＳ受信性能に大きな利点が与えられ得る。
したがって、集計処理から受信した応答にアクセス確率係数を適応させる適応型のアクセス確率係数を有することが非常に所望される。
【発明を実施するための最良の形態】
【０００７】
本発明は図１〜７を参照することにより、さらに完全に説明され得る。図１は、本発明による無線通信システム１００のブロック図である。通信システム１００は、無線アクセス・ネットワーク（ＲＡＮ）１１０と無線通信する複数のユーザ端末（ＵＥ）即ち移動局（ＭＢＳ）１０２〜１０４（３つを示す）を備える。ＲＡＮ１１０は、コントローラ１１４に動作可能に接続された１つのトランシーバ１１２を備える。好適には、コントローラ１１４は無線ネットワーク・コントローラ（ＲＮＣ）である。さらに、通信システム１００は、ネットワーク１２４への接続及びＭＢＭＳデータ供給源への接続を備える。
【０００８】
ＭＳ１０２〜１０４の各々は、通信システム１００により提供されるマルチメディア・ブロードキャスト・マルチキャスト・サービス（ＭＢＭＳ）のサービスに加入している。このサービスにより、ＭＳに対しＭＢＭＳデータが配信される。ＭＢＭＳサービスは３ＧＰＰ（第３世代パートナーシップ・プロジェクト）標準規格、特に、３ＧＰＰ  ＴＳ（技術仕様）２５．３４６第０．５．０版、３ＧＰＰ  ＴＳ２３．８４６第６．０．０版、３ＧＰＰ  ＴＳ２２．１４６第６．０．０版、３ＧＰＰ  ＴＲ（技術報告）２１．９０５第５．４．０版、及び報告Ｒ２−０３００６３に詳細に説明されている。これらの仕様及び報告を引用により本明細書に援用する。また、これらのコピーはインターネットを介して３ＧＰＰから、又はフランス国、セデックス０６９２１ソフィア−アンティポリス、ルート・デ・リュシオール、モビール・コンペターンス・サーントル６５０（Ｍｏｂｉｌｅ  Ｃｏｍｐｅｔｅｎｃｅ  Ｃｅｎｔｒｅ  ６５０，ｒｏｕｔｅ  ｄｅｓ  Ｌｕｃｉｏｌｅｓ，０６９２１  Ｓｏｐｈｉａ−Ａｎｔｉｐｏｌｉｓ  Ｃｅｄｅｘ，Ｆｒａｎｃｅ）所在の、３ＧＰＰ機関パートナーの出版局から入手される。
【０００９】
ＲＡＮ１１０は、ＭＳ１０２〜１０４等の移動局に対し通信サービスを提供する。ＭＳ１０２〜１０４は、セル等のカバレッジ領域内に存在し、エア・インタフェース１２８を介してＲＡＮによりサービス提供される。
【００１０】
通信システム１００には、３ＧＰＰ標準規格に従い動作する、ユニバーサル・モバイル・テレコミュニケーション・システム（ＵＭＴＳ）の通信システムが含まれ得る。しかしながら、当業者には、通信システム１００は任意の無線通信システムに従い動作してよいことが理解される。無線通信システムには、以下に限定されないが、ゼネラル・パケット無線サービス（ＧＰＲＳ）通信システム、符号分割多重接続（ＣＤＭＡ）２０００通信システム、又は直交周波数分割多重接続（ＯＦＤＭ）通信システム等が含まれる。
【００１１】
さらに、通信システム１００はインターネット・プロトコル（ＩＰ）マルチキャスト・サーバ等、マルチメディア・ブロードキャスト・マルチキャスト・サービス（ＭＢＭＳ）データ供給源１２６を備える。ＭＢＭＳデータ供給源１２６はＩＰネットワーク等、ネットワーク１２４に接続されている。ネットワーク１２４はＲＡＮのコントローラ１１４に接続されている。ＭＳ１０２〜１０４の各々が加入するＭＢＭＳサービスにおいて、ＭＢＭＳデータ供給源１２６はＭＳ１０２〜１０４に対し、サポート・ノード１２０及びＲＡＮ１１０を介して、通常、ＩＰデータ・パケットの形式で、ＭＢＭＳデータを供給する。詳細には、サービス加入者にサービス提供するコントローラ、即ち、ＭＳ１０２〜１０４に関するコントローラ１１４を介して供給する。ＲＡＮ１１０、詳細にはコントローラ１１４がＭＢＭＳデータを受信するとき、ＲＡＮは、ＲＡＮがサービス提供する加入ＭＳの各々、即ち、ＭＳ１０２〜１０４に対し、マルチキャスト即ちポイントツーマルチポイント（ＰＴＭ）通信チャネルを介してＭＢＭＳデータを伝達するか、又は個々のユニキャスト即ちポイントツーポイント（ＰＴＰ）通信チャネルを介してＭＢＭＳデータを伝達するかを判定する必要がある。
【００１２】
ＰＴＭ通信チャネルを確立させるか、又は個々のＰＴＰ通信チャネルを確立させるかを判定するため、最初にＲＡＮ１１０は、ＲＡＮがサービス提供するカバレッジ領域内に存在し、かつ、ＭＢＭＳデータを供給するＭＢＭＳサービスに加入しているＭＳの数を推定し、その推定に基づきアクセス確率係数を判定する必要がある。従来技術の提案においては、ＲＡＮは、ＲＡＮへの有効な接続を有し、かつ、ＭＢＭＳサービスに加入しているＭＳの数に基づき、アクセス確率係数を判定する。しかしながら、そのような判定においては、ＲＡＮによりサービス提供されＭＢＭＳサービスに加入しているアイドル・モードＭＳ及びＵＲＡ＿ＰＣＨモードのユーザが評価されることはない。以下では、アイドル・モードのユーザは、アイドル・モードのユーザ及びＵＲＡ＿ＰＣＨモードのユーザの両方を表す。結果として、従来技術においては、サービスに加入しているアイドルＭＳの数が多く、かつ、アクセス確率係数が高い値に設定された場合、判定されたアクセス確率係数により、ＭＢＭＳ通知に応答するＭＳの数によるアクセス・チャネルの過負荷が生じ得る。また、少数のアイドルＭＳがサービスに加入し、かつ、ＲＡＮがアクセス確率係数を低い値に設定した場合、集計要求に応答してＲＮＣが受信する接続要求の数は、ＰＴＭチャネルがマルチメディア・データを配布するために最も効率的な方式であるときにＰＴＭチャネルの確立を呼び出すには充分でない場合がある。
【００１３】
ＭＢＭＳ通知に応答する接続要求により無線アクセス・チャネル１３６が制圧される（ｏｖｅｒｗｈｅｌｍｅｄ）ことを防止し、ＭＢＭＳデータの伝達においてＰＴＭ接続又は個々のＰＴＰ接続を適切に選択させるため、通信システム１００は、ＭＢＭＳ通知に応答するＭＳの数を制限するとともに、ＲＡＮ１１０のサービス領域内に存在しＭＢＭＳサービスに加入しているＭＳの数を推定する、より的確な方法を提供する。また、通信システム１００は、応答数及び加入ＭＳ数の推定を最適化するように適応的に判定されるアクセス確率係数も提供する。
【００１４】
通信システム１００は確率を利用して、ＭＢＭＳサービスに加入しているＭＳの数を判定し、ＭＢＭＳデータの伝達のためにポイントツーマルチポイント通信接続を確立させるか、又はポイントツーポイント通信接続を確立させるかを判定する。ＲＡＮ１１０のコントローラ１１４は、ＭＢＭＳサービスに加入している移動局の数量を判定する。
【００１５】
図２，３には、アクセス確率係数を適応的に設定するための方法を示す。１５０にて、コントローラ１１４はアクセス確率係数ＰをＰｉｎｉｔに等しく設定する。Ｐｉｎｉｔはアクセス確率係数の初期値である。続いて、ＲＡＮ１１０はＭＳ１０２〜１０４の各々に対しアクセス確率係数Ｐをブロードキャストする。次に、ブロック１５２にて、コントローラ１１４はアイドルＭＳ、即ち、アイドルＵＥの集計を開始する。ブロック１５４にて、ユーザ端末１０２〜１０４に対する制御メッセージにより、確率アクセス係数Ｐがブロードキャストされる。
【００１６】
アクセス確率係数Ｐを含む１つ以上の制御メッセージのブロードキャストに応答して、コントローラ１１４は、アクセス・チャネル１３６へのリンクを確立させるためのＮ個の応答を得る。ブロック１５６にて、コントローラ１１４は、ＲＡＮ１１０の１つ以上の制御接続基地局によるＭＢＭＳサービス加入者の数の集計により、ＭＢＭＳサービスに加入しているアイドル・モードＵＥの数であるＮを取得する。
【００１７】
次に、ブロック１５８にて、コントローラ１１４は、集計に応答するアイドル・モードＵＥの数であるＮが、ポイントツーマルチポイント接続に対するポイントツーポイント接続の比であるＭより大きいか否かを判定する。アイドル・モードＵＥの数Ｎが比Ｍより大きい場合、ブロック１５８は「はい」の経路を経てブロック１６０へ制御を移す。ＭＢＭＳサービスを使用し得るアイドル・ユーザ端末の数が充分に多いため、ブロック１６０にて、ＭＢＭＳサービスに対してポイントツーマルチポイント・ブロードキャスト・モードが選択される。次に、コントローラ１１４は、Ｎに対するＭの比をアクセス確率係数Ｐに乗じた値に等しくなるように、Ｐｉｎｉｔを調整する。Ｍは、ポイントツーポイント接続をポイントツーマルチポイント接続で除した比である。ブロック１６２にて、Ｎは、ＭＢＭＳサービスのアイドル・モードＵＥの数である。続いて、処理は終了する。
【００１８】
ブロック１５８にて、ＵＥ数Ｎがポイントツーポイント接続をポイントツーマルチポイント接続で除した比Ｍ以下である場合、ブロック１５８は「いいえ」の経路を経てブロック１６４へ制御を移す。続いて、コントローラはアクセス確率係数Ｐが１に等しいか否かを判定する。アクセス確率係数Ｐが１に等しい場合、ブロック１６４は「はい」を経てブロック１６６へ制御を移す。
【００１９】
続いて、ブロック１６６にて、コントローラはポイントツーポイント・チャネル・ブロードキャスト接続を選択する。これにより、例えば、ＲＡＮ１１０からユーザ端末１０２への接続が確立される。
【００２０】
次に、ブロック１６８にて、コントローラは初期アクセス確率係数ＰｉｎｉｔをＰに等しくなるように、この場合には１に等しくなるように調整する。続いて、処理は終了する。
【００２１】
ブロック１６４にて、Ｐが１に等しくない場合、ブロック１６４は「いいえ」を経てブロック１７０へ制御を移す。ブロック１７０にて、コントローラはアイドルＵＥの数Ｍが０に等しいか否かを判定する。アイドルＵＥの数Ｍが０に等しい場合、ブロック１７０は「はい」を経てブロック１７２へ制御を移す。続いて、ブロック１７２にて、コントローラはアクセス確率係数Ｐを１に等しく設定する。続いて、ブロック１７２はブロック１８０へ制御を移す。
【００２２】
アイドル・モードＵＥの数Ｍが０に等しくない場合、ブロック１７０は「いいえ」を経てブロック１７４へ制御を移す。続いて、ブロック１７４にて、コントローラは、新たなアクセス確率係数Ｐを計算する。新たなアクセス確率係数Ｐは、Ｎに対するＭの比を元のアクセス確率係数Ｐに乗じた値に等しい。ここでも、Ｍは、ＲＡＮにおけるポイントツーポイント接続の数をポイントツーマルチポイント接続の数で除した比である。
【００２３】
次に、ブロック１７６にて、コントローラはアクセス確率係数Ｐがアクセス確率係数閾値であるＰｔより大きいか否かを判定する。アクセス確率係数Ｐが閾値Ｐｔより小さい場合、無線アクセス・チャネル１３６の負荷は減少され得る。アクセス確率係数Ｐが閾値Ｐｔより大きい場合、ブロック１７６は「はい」を経てブロック１７８へ制御を移す。ブロック１７８にて、コントローラはアクセス確率係数Ｐを１に等しく設定し、ブロック１８０へ制御を移す。
【００２４】
ブロック１８０にて、コントローラはアクセス確率係数Ｐが１より大きいか否かを判定する。アクセス確率係数Ｐが１より大きくない場合、ブロック１８０は「いいえ」を経てブロック１５４へ制御を移す。続いて、ブロック１５４にて、新たなアクセス確率係数Ｐが制御メッセージによりブロードキャストされる。
【００２５】
アクセス確率係数Ｐが１以下である場合、ブロック１８０は「はい」を経てブロック１６６へ制御を移す。通常、アクセス確率係数は１未満であるため、コントローラはポイントツーポイント・チャネル・ブロードキャストを選択する。続いて、コントローラはアクセス確率係数Ｐｉｎｉｔをアクセス確率係数Ｐに等しくなるように調整する。続いて、処理は終了する。
【００２６】
上述の方法においては、ＵＥから受信した応答が閾値より大きい場合、ポイントツーマルチポイント・チャネル・ブロードキャストが選択され、初期アクセス確率係数が更新される。ＵＥから受信した応答が小さい場合、アクセス確率係数はアクセス・チャネルの負荷に応じて更新され、新たなアクセス確率係数がブロードキャストされる。
【００２７】
ユーザ端末の数が多いとき、この方法では、Ｐの値は無線アクセス・チャネルに効率的な負荷を与えるために必要な最小の大きさに収束する。ユーザ端末の数が少ないとき、この方法では、アクセス確率係数Ｐの値は適応的に増加し、ポイントツーポイント／ポイントツーマルチポイント伝送に必要な最小のアクセス確率の値に急速に収束することが可能である。
【００２８】
ここで図４を参照する。図４には、ユーザ端末１０２〜１０４における方法を示す。処理が開始され、ブロック１９０に進入する。ユーザ端末は無線アクセス・チャネル接続が既に存在するか否かを判定する。無線アクセス・チャネル接続が既に存在する場合、ブロック１９０はブロック１９１へ制御を移し、処理は終了する。
【００２９】
無線アクセス・チャネル接続が存在しない場合、ブロック１９０はブロック１９２へ制御を移す。ブロック１９２にて、ユーザ端末は０〜１の乱数を選択する。０〜１には、０，１を含む。
【００３０】
次に、ユーザ端末は選択した乱数がアクセス確率係数Ｐより小さいか否かを判定する。選択した乱数がアクセス確率係数Ｐ以上である場合、ブロック１９４は「いいえ」を経て制御を移し、処理は終了する。選択した乱数がアクセス確率係数より小さい場合、ブロック１９４は「はい」を経てブロック１９６へ制御を移す。続いて、ブロック１９６にて、ＵＥはネットワークとのポイントツーポイント接続の確立を要求する。続いて、処理は終了する。
【００３１】
図５には、ユーザ端末に接続された２つのセル及び基地局（図示せず）を示す。この時点において、セルは単に、そのセルを最も強力なセルと見なすＵＥを集計する。これにより性能が低下し得る。例えば、セル１及びセル２のセル境界に５０個のＵＥが存在し、それらのＵＥの全てがセル１を最も強力なセルと見なす（セル２を２番目に強力なセルと見なす）場合がある。この場合、セル１を有効とする（ｔｕｒｎ  ｏｎ）より、ＰＴＭモードにて両方のセルを有効とする方が優れている。セルにおいては、そのセルを最も強力なセルと見なすか又は２番目に強力なセルと見なす全てのＵＥを集計することが所望される。続いて、この情報を無線ベアラ設定の最適化のために用いることが可能である。
【００３２】
図５には、集計手続と、集計手続がどのように作用してダイバーシチが得られるかを示す。第１の基地局のセル７０１、第２の基地局のセル７０２は、それぞれ、ＵＥ７０３に対する最高のセル、２番目に最高のセルである（基地局は図示せず）。ＵＥ７０３はアイドル・モードにあり、ＭＢＭＳ無線ベアラ設定において集計されることが必要である。通常、ＵＥは、それぞれチャネル７０４，７０５を介してセル７０１，７０２の両方の集計手続に参加することが必要である。したがって、セルの無線ベアラ設定の決定において、セル７０１，７０２の両方がＵＥ７０３を集計し得る。このようにして、ダイバーシチ利得が得られる。
【００３３】
図６には、ＭＢＭＳアクセスにおいて集計されるユーザ端末の数と、総ユーザ端末数との間の関係を示す。グラフの線２００は、１に等しいアクセス確率係数Ｐを表す。これにより、所与のセルにおける無線アクセス・チャネルにアクセスするＭＢＭＳユーザ数と総ユーザ数との間の直線的な関係が示される。
【００３４】
グラフの線２１０は、本発明により提供される適応型アクセス確率係数における同じ関係を表す。本発明の方法においては、２００に近い多数のＭＢＭＳユーザに対しても、集計において無線アクセス・チャネルにアクセスするユーザは、ほぼ２０と非常に小さな量であることが留意される。本発明の方法においては、ポイントツーポイント／ポイントツーマルチポイント伝送を決定するための集計における適切なユーザの数は、比較的簡単である。アクセス確率係数ＰがＰ＝１に固定されている場合、総ユーザ数が多いときには無線アクセス・チャネルの過負荷が非常に大きいことは周知である。本発明の適応型アクセス確率係数により、集計するユーザの数は比較的少なく保持され、アクセス確率係数Ｐは動的に調整される。
【００３５】
図７には、異なるアクセス確率係数閾値Ｐｔを適用した場合の無線アクセス・チャネルにアクセスするユーザの数と総ユーザ数との間の関係を示す。グラフ２２０は、アクセス確率係数閾値が０．１の場合を表す。総ユーザ数が増加するにつれ、無線アクセス・チャネルにアクセスするユーザ数は実質的に増加する。アクセス確率係数閾値Ｐｔが０．３に等しい場合、グラフ２２２に示すように、集計されるユーザの数は実質的に減少する。最後に、２２４は、Ｐｔが０．０５〜１．０に等しい場合を表す。この閾値は、最良の全性能を与える最適な閾値である。しかしながら、Ｐｔに設定される値は実際の動作するシステムに応じて異なる。例えば、システムがより大きな負荷に耐えられる場合、例えば、０．３等、より小さな値が適切であろう。
【００３６】
本発明の方法では、Ｐｉｎｉｔに小さな初期値を設定することにより、以下の利点が提供される。本発明の方法により高速な収束が実行され、集計過負荷の数が実質的に減少する。ユーザ端末は確率係数を用い、集計に参加するか否かを判定する。結果として、大抵の場合、各ユーザ端末は１回、集計される。初期確率Ｐｉｎｉｔは、複数のユーザに対する単一のブロードキャスト成功確率に基づき最適化される。Ｐｔの値は、ブロードキャスト回数と集計過負荷との間のトレードオフにより最適化される。
【００３７】
本発明の好適な実施形態を示し、詳細に説明したが、本発明の精神から又は添付の特許請求の範囲の範囲から逸脱することなく種々の変更がなされ得ることは、当業者には明らかであろう。
【図面の簡単な説明】
【００３８】
【図１】本発明による無線パケット・データ通信システムのブロック図。
【図２】本発明によるアクセス確率係数を適応的に設定する方法のフローチャート。
【図３】本発明によるアクセス確率係数を適応的に設定する方法のフローチャート。
【図４】本発明によるアクセス確率係数を設定する方法の別の実施形態のフローチャート。
【図５】本発明による基地局による集計動作のブロック図。
【図６】本発明によるアクセス・チャネルにアクセスするユーザの数と総ユーザ数との間の関係を表すグラフ。
【図７】本発明による確率閾値を変化させた場合のアクセス・チャネルにアクセスするユーザの数と総ユーザ数との間の関係を表すグラフ。
【図１】
2007504721.tif 000003
【図２】
2007504721.tif 000004
【図３】
2007504721.tif 000005
【図４】
2007504721.tif 000006
【図５】
2007504721.tif 000007
【図６】
2007504721.tif 000008
【図７】
2007504721.tif 000009
【国際調査報告】
2007504721.tif 000010